(57)【要約】【課題】  郵便番号入力と住所入力の切り替え回数を低減してＶＣＤオペレータの作業効率を上げるビデオコーディングシステムを提供する。【解決手段】  ビデオコーディングシステム２は、認識部１５で認識できなかった読取画像を記憶する大容量記憶部２２から読取画像を読み出し、この読取画像に優先度をつけてビデオコーディング端末ＶＣＤ３０Ａに分配する優先分配処理手段と、この読取画像の入力された順序でビデオコーディング端末ＶＣＤ３０Ｂに分配する入力維持分配処理手段とを備えたビデオ分配制御部２４によって上記読取画像を分配する。上記優先分配処理手段によって、例えば差立０２便の郵便物の入力処理中に、先に区分処理された差立０１便の郵便物の入力画像が検出されると、この郵便物の入力処理が優先される。この優先分配処理手段と入力維持分配処理手段を併用することによって郵便番号入力と住所入力の切り替え回数が減少する。【選択図】  図１
2005349261.tif 000002
【特許請求の範囲】
【請求項１】
郵便物に記載されている郵便番号または住所を認識部で認識できなかった読取画像を蓄積するための蓄積分配装置と、この蓄積分配装置に蓄積された読取画像の分配を受け、郵便番号又は住所の入力が可能なビデオコーディング端末とを配置したビデオコーディングシステムであって、
前記蓄積分配装置は、前記認識部で認識できなかった読取画像を受信し記憶装置に記憶するメモリ制御部と、このメモリ制御部によって記憶された読取画像を読み出して優先度を付けて一方のビデオコーディング端末に分配する優先分配処理手段と、前記メモリ制御部によって記憶された読取画像を入力された順序で他方のビデオコーディング端末に分配する入力維持分配処理手段とを有するビデオ分配制御部とを備え、
前記ビデオコーディング端末は、前記蓄積分配装置から分配された前記読取画像を表示する表示部と、この表示部の表示内容に基づいて郵便番号又は住所の入力が可能な入力部とを備えたことを特徴とするビデオコーディングシステム。
【請求項２】
郵便物に記載されている郵便番号または住所を認識部で認識できなかった読取画像を蓄積するための蓄積分配装置と、この蓄積分配装置に蓄積された読取画像の分配を受け、郵便番号又は住所の入力が可能なビデオコーディング端末を配置したビデオコーディングシステムの優先分配処理方法であって、
特に差立区分のとき、前記読取手段で認識できなかった前記第1のグループ郵便物の読取画像の中の郵便番号入力画像が検出手段によって検出されたとき、この郵便番号入力画像を前記表示部に表示してオペレータに郵便番号入力を促す第1の工程と、
この第1の工程によって前記第1の読取画像の中の郵便番号入力が終了したとき、前記第1の読取画像の中の住所入力画像が検出手段によって検出されたとき、この住所入力画像を前記表示部に表示してオペレータに住所入力を促す第2の工程と、
この第２の工程によって前記第1の読取画像の中の住所入力が終了したとき、第2の読取画像の中の郵便番号入力画像が検出手段によって検出されたとき、この郵便番号入力画像を前記表示部に表示してオペレータに郵便番号入力を促す第3の工程と、
この第3の工程によって前記第２のグループ郵便物の読取画像の中の郵便番号入力が終了したとき、前記第1の読取画像の中の郵便番号入力画像が検出手段によって検出されたとき、この郵便番号入力画像を前記表示部に表示してオペレータに郵便番号入力を促す第4の工程と、
この第4の工程によって前記第１のグループ郵便物の読取画像の中の郵便番号入力が終了したとき、前記第1の読取画像の中の住所入力画像が検出手段によって検出されたとき、この住所入力画像を前記表示部に表示してオペレータに住所入力を促す第５の工程と、
この第５の工程によって前記第１のグループ郵便物の読取画像の中の住所入力が終了したとき、前記第２のグループ郵便物の読取画像の中の住所入力画像が検出手段によって検出されたとき、この住所入力画像を前記表示部に表示してオペレータに住所入力を促す第６の工程と
を備えたことを特徴とするビデオコーディングシステムの優先分配処理方法。
【請求項３】
郵便物に記載されている郵便番号または住所を認識部で認識できなかった読取画像を蓄積するための蓄積分配装置と、この蓄積分配装置に蓄積された読取画像の分配を受け、郵便番号又は住所の入力が可能なビデオコーディング端末を配置したビデオコーディングシステムの入力維持分配処理方法であって、
前記読取手段で認識できなかった第1の郵便物の読取画像の中の郵便番号入力画像及び住所入力画像が検出手段によって検出されたとき、それぞれの郵便物に対応する郵便番号入力画像及び住所入力画像を表示部に表示してオペレータに郵便番号入力及び住所入力を促す第１の工程と、
この第１の工程によって前記第1の郵便物の郵便番号入力及び住所入力が終了したとき、前記第2の郵便物の読取画像の中の郵便番号入力画像及び住所入力画像が検出手段によって検出されたとき、それぞれの郵便物に対応する郵便番号入力画像及び住所入力画像を前記表示部に表示してオペレータに郵便番号入力及び住所入力を促す第２の工程と
を備えたことを特徴とするビデオコーディングシステムの入力維持分配処理方法。
【発明の詳細な説明】
【技術分野】
【０００１】
本発明は、郵便物読取区分機が郵便物に記載されている配達区分先を認識できなかった場合にオペレータが当該配達区分先を確認して入力するビデオコーディングシステム、ビデオコーディングシステムの優先分配処理方法及び入力維持分配処理方法に関する。
【背景技術】
【０００２】
郵便物を区分する郵便物読取区分機では、郵便物の住所あるいは郵便番号を読み取り、この読み取った住所あるいは郵便番号からなる配達区分情報に基づき郵便物を区分処理している。
【０００３】
また、この郵便物読取区分機において、郵便物の住所あるいは郵便番号が読み取れなかったとき、当該郵便物の読取画像は、ビデオコーディングシステム（以下、ＶＣＳと称する）に送信され、このＶＣＳの蓄積分配装置に蓄積される。この蓄積分配装置は、受信した読取画像をビデオコーディング端末（以下、ＶＣＤと称する）に分配する。このＶＣＤを操作するオペレータは、ＶＣＤに分配された読取画像を目視しながら住所あるいは郵便番号からなる配達区分情報を入力（打鍵）する。上記郵便物読取区分機は、この入力された配達区分情報によって郵便物を区分処理していた。
【０００４】
上記オペレータが複数人で複数のＶＣＤを操作するときは、郵便番号を入力するオペレータと住所を入力するオペレータを設けて業務を分担している。その理由は、郵便番号入力から住所入力まで一人で入力するよりは、郵便番号を入力する業務と住所を入力する業務を分担した方が業務に専念できるため効率がよいことによる。そのため、上記蓄積分配装置は、全てのＶＣＤに郵便番号入力画像と住所入力画像を郵便物の打鍵優先順通りに分配していた。または、ＶＣＤからの画像分配要求が発生すると、その発生したＶＣＤ毎に設定された画像タイプ優先設定テーブルに基づいて分配されていた（例えば、特許文献１参照。）。
【０００５】
そして、差立郵便物は、郵便番号読み取り又は上記郵便番号入力（打鍵）完了時点で、自局宛の郵便物であるとわかった場合に住所入力（打鍵）が行われている。
【特許文献１】特開平１１−３５５５３７号公報（第4頁、図２、図３）
【発明の開示】
【発明が解決しようとする課題】
【０００６】
しかしながら、差立区分において、先に区分するため配達区分情報の入力（打鍵）が必要な差立０１便とその後に区分するため配達区分情報の入力が必要な差立０２便があるとき、例えば差立０１便の郵便物１００通、差立０２便の郵便物１００通の画像が上記蓄積分配装置に蓄積されている場合を考える。この場合、差立０１便の郵便物の郵便番号入力、差立０１便の自局分の住所入力、差立０２便の郵便番号入力の順に処理されるが、この差立０２便の郵便番号入力時に、他の端末や自動ＶＣから差立０１便の郵便番号入力が完了して、差立０１便の住所入力が通数分必要になり、住所入力と郵便番号入力が便の切れ目で頻繁に切り替わる場合が発生する。
【０００７】
例えば、差立０１便１００通の郵便番号入力完了時点で、自局宛の郵便物が１０通あった場合、この１０通の住所入力完了後、差立０２便の郵便番号１００通の郵便番号入力に移ることになる。この際、自動ＶＣの差立０１便の区分情報認識処理や、他のＶＣＤの差立０１便の郵便番号入力などにより、差立０２便の郵便番号入力に作業が移行してから差立０１便の住所入力が必要になることがある。特に、画像分配速度向上のためＶＣＤに画像を数通バッファリングしている場合には、特に郵便番号入力と住所入力の切り替えが発生することになり、ＶＣＤオペレータの作業効率が上がらないという問題があった。
【０００８】
本発明は上記問題を解決するためになされたもので、郵便番号入力と住所入力の切り替え回数を低減してＶＣＤオペレータの作業効率を上げるビデオコーディングシステムを提供することを目的とする。
【課題を解決するための手段】
【０００９】
上記目的を達成するために、本発明のビデオコーディングシステムは、郵便物に記載されている郵便番号または住所を認識部で認識できなかった読取画像を蓄積するための蓄積分配装置と、この蓄積分配装置に蓄積された読取画像の分配を受け、郵便番号又は住所の入力が可能なビデオコーディング端末とを配置したビデオコーディングシステムであって、前記蓄積分配装置は、前記認識部で認識できなかった読取画像を受信し記憶装置に記憶するメモリ制御部と、このメモリ制御部によって記憶された読取画像を読み出して優先度を付けて一方のビデオコーディング端末に分配する優先分配処理手段と、前記メモリ制御部によって記憶された読取画像を入力された順序で他方のビデオコーディング端末に分配する入力維持分配処理手段とを有するビデオ分配制御部とを備え、前記ビデオコーディング端末は、前記蓄積分配装置から分配された前記読取画像を表示する表示部と、この表示部の表示内容に基づいて郵便番号又は住所の入力が可能な入力部とを備えたことを特徴とする。
【００１０】
また、本発明のビデオコーディングシステムの優先分配処理方法は、郵便物に記載されている郵便番号または住所を認識部で認識できなかった読取画像を蓄積するための蓄積分配装置と、この蓄積分配装置に蓄積された読取画像の分配を受け、郵便番号又は住所の入力が可能なビデオコーディング端末を配置したビデオコーディングシステムの優先分配処理方法であって、特に差立区分のとき、前記読取手段で認識できなかった前記第1のグループ郵便物の読取画像の中の郵便番号入力画像が検出手段によって検出されたとき、この郵便番号入力画像を前記表示部に表示してオペレータに郵便番号入力を促す第1の工程と、この第1の工程によって前記第1の読取画像の中の郵便番号入力が終了したとき、前記第1の読取画像の中の住所入力画像が検出手段によって検出されたとき、この住所入力画像を前記表示部に表示してオペレータに住所入力を促す第2の工程と、この第２の工程によって前記第1の読取画像の中の住所入力が終了したとき、第2の読取画像の中の郵便番号入力画像が検出手段によって検出されたとき、この郵便番号入力画像を前記表示部に表示してオペレータに郵便番号入力を促す第3の工程と、この第3の工程によって前記第２のグループ郵便物の読取画像の中の郵便番号入力が終了したとき、前記第1の読取画像の中の郵便番号入力画像が検出手段によって検出されたとき、この郵便番号入力画像を前記表示部に表示してオペレータに郵便番号入力を促す第4の工程と、この第4の工程によって前記第１のグループ郵便物の読取画像の中の郵便番号入力が終了したとき、前記第1の読取画像の中の住所入力画像が検出手段によって検出されたとき、この住所入力画像を前記表示部に表示してオペレータに住所入力を促す第５の工程と、この第５の工程によって前記第１のグループ郵便物の読取画像の中の住所入力が終了したとき、前記第２のグループ郵便物の読取画像の中の住所入力画像が検出手段によって検出されたとき、この住所入力画像を前記表示部に表示してオペレータに住所入力を促す第６の工程とを備えたことを特徴とする。
【００１１】
また、本発明のビデオコーディングシステムの優先分配処理方法は、郵便物に記載されている郵便番号または住所を認識部で認識できなかった読取画像を蓄積するための蓄積分配装置と、この蓄積分配装置に蓄積された読取画像の分配を受け、郵便番号又は住所の入力が可能なビデオコーディング端末を配置したビデオコーディングシステムの入力維持分配処理方法であって、前記読取手段で認識できなかった第1の郵便物の読取画像の中の郵便番号入力画像及び住所入力画像が検出手段によって検出されたとき、それぞれの郵便物に対応する郵便番号入力画像及び住所入力画像を表示部に表示してオペレータに郵便番号入力及び住所入力を促す第１の工程と、この第１の工程によって前記第1の郵便物の郵便番号入力及び住所入力が終了したとき、前記第2の郵便物の読取画像の中の郵便番号入力画像及び住所入力画像が検出手段によって検出されたとき、それぞれの郵便物に対応する郵便番号入力画像及び住所入力画像を前記表示部に表示してオペレータに郵便番号入力及び住所入力を促す第２の工程とを備えたことを特徴とする。
【発明の効果】
【００１２】
本発明によれば、入力される郵便物の入力優先順位に従って住所入力と郵便番号入力とを切り替えて処理するＶＣＤによる優先分配処理と、同じ入力処理を維持して処理するＶＣＤによる優先分配処理に分けて画像分配処理を行うので、作業効率を上げることができる。
【発明を実施するための最良の形態】
【００１３】
以下、図面を参照して本発明の実施例を説明する。
【実施例】
【００１４】
図１は、本発明の実施例による郵便物読取区分機の構成図である。この郵便物読取区分機は、郵便物Ｐの配達区分情報（文字情報）を認識して区分する読取区分機本体１、この読取区分機本体１にて配達区分先が認識できなかった郵便物Ｐの配達区分情報をこの郵便物Ｐの画像に基づいてオペレータが入力するビデオコーディングシステム（コーディング装置（以下、ＶＣＳと称する）２から構成されている。
【００１５】
まず、読取区分機本体１について説明する。図１に示すように、読取区分機本体１は、搬送区分機本体１ａを有している。この搬送区分機本体１ａには、第１面に配達区分情報としての数字や文字などが書き込まれ或いは印刷された複数の郵便物Ｐを、この第１面が同一方向を向くように揃えて立位で収容するとともに、これらの郵便物Ｐを所定の取出位置へ順次供給する供給部１０を備えている。この供給部１０には、郵便物Ｐを主搬送路１７に沿って所定の間隔で１通ずつ取り出す取出部（図示しない）が配置されている。
【００１６】
上記供給部１０に供給される郵便物Ｐには、その第１面に配達区分情報に対応した文字のみが記載されたもの以外に、機械コードとして大口の配達区分先に予め決められているカスタマコードや郵便物Ｐの配達区分先に対応して読取区分機本体１内で決められる局内バーコード、又は認識部１５（認識手段）にて配達区分情報の認識が不能となった郵便物Ｐに付与されるＩＤコードなどが記載されたものがある。なお、これらの各コードは、バーコード化した情報として郵便物Ｐの第１面に付与されるものである。
【００１７】
上記供給部１０に供給されている郵便物Ｐは、一定間隔で取り出されて、一定速度で搬送する主搬送路１７により一定の搬送間隔（ピッチ）で搬送される。主搬送路１７上を搬送される郵便物Ｐは、機械処理が不可能な異物の場合には排除され、機械処理が可能な郵便物Ｐのみが搬送される。
【００１８】
主搬送路１７上には、スキャナ部（読取手段）１１、ＩＤコード読取部１２、バーコードプリンタ部１３、及び区分部１４が設けられている。上記スキャナ部１１は、主搬送路１７上の郵便物Ｐの配達区分情報が記載されている面を読み取り、その読み取った画像を画像バッファ（記憶手段）１９に送信する。そして、この画像は配達区分情報を認識する認識部（認識手段）１５へ送信される。上記ＩＤコード読取部１２は、主搬送路１７上を搬送される郵便物Ｐの第１面にＩＤコードあるいは機械コードが付与されている場合に、そのＩＤコード、あるいは機械コードを読み取るものである。
【００１９】
上記バーコードプリンタ部１３は、必要に応じて郵便物Ｐの第１面にＩＤコード、あるいは機械コードを印刷するものである。これは、認識部１５によって配達区分情報が認識できた場合に、その配達区分情報をバーコード化して郵便物上に機械コードを印刷し、認識部１５によって配達区分情報が認識できなかった場合に、ＩＤコードを印刷するものである。
【００２０】
このバーコードプリンタ部１３の郵便物の搬送方向下流側には、主搬送路１７上を搬送されてきた郵便物Ｐが配達区分先に応じて区分される区分部１４が設けられている。この区分部１４は、複数の段、複数の列に区画された複数の区分ポケットから構成されている。各ポケットは、配達区分先ごとに対応して設定されており、配達区分情報あるいは機械コードに基づいて区分された郵便物Ｐを各ポケットに順次集積する。また、区分部１４には、配達区分先が認識できなかった郵便物Ｐが集積されるＶＣＳ排除ポケット（ＶＣＳリジェクト区分箱）が設けられている。このＶＣＳ排除ポケットに集積された郵便物Ｐは、オペレータにより配達区分情報がＶＣＳ２にて入力された後に、供給部１０に再供給されるようになっている。
【００２１】
また、図１に示すように、上記読取区分機本体１の各部は、制御部１６によって制御される。この制御部１６には、供給部１０，スキャナ部１１、ＩＤコード読取部１２、バーコードプリンタ部１３、区分部１４、認識部１５、及び画像バッファ１９などが接続されている。
【００２２】
スキャナ部１１は、郵便物の配達区分情報が記載されている第１面を光学的に読み取った画像を画像バッファ１９に送信する。
【００２３】
上記認識部１５は、制御部１６によって制御されて画像バッファ１９に順次記憶された上記画像から配達区分情報となる文字を切り出して文字認識を行い、図示しない文字辞書及び住所辞書と比較してマッチング法などによって配達区分情報の認識を行う。この認識可否は、制御部１６へ返信されるようになっている。さらに、認識部１５は、配達区分情報が認識できなかった場合、読取画像に付帯するＯＣＲ情報（付帯情報）、すなわち郵便物の大きさ、文字の大きさ、文字の向き、配達区分情報の表記方法、文字種、認識深度、及びＶＣＳ処理が必要な箇所を示す情報からなる画像ヘッダを作成する手段を有する。
【００２４】
次に、ＶＣＳ２について説明する。図１に示すように、ＶＣＳ２は、蓄積分配装置２０及び複数のビデオコーディング端末（以下、ＶＣＤと称する）３０Ａ、３０Ｂ・・３０Ｂから構成される。
【００２５】
上記蓄積分配装置２０は、認識部１５で認識できなかった郵便物Ｐの画像ヘッダ及び読取画像をリジェクトデータ制御部１８から受信し、当該郵便物Ｐの読取画像を認識し、郵便番号エリア候補及び住所エリア候補を検出する。
【００２６】
ＶＣＤ３０Ａ、３０Ｂ・・・３０Ｂは、蓄積分配装置２０から分配される郵便物Ｐの上記郵便番号エリア候補及び住所エリア候補で示されたエリアの読取画像を表示部３３に表示することができる。また、この表示された画像に基づいてオペレータが区分先を示す情報を入力することができる。
【００２７】
上記蓄積分配装置２０は、メモリ制御部２１、大容量記憶装置２２、画像メモリ２３、ビデオ分配制御部２４、タイミング制御部２５、入出力制御部２７及び専用認識部２８から構成される。
【００２８】
上記メモリ制御部２１は、読取区分機本体１（読取装置）から送信される認識できなかった郵便物Ｐの画像ヘッダ及び読取画像からなる処理データを受信し大容量記憶装置（蓄積手段）２２に記憶するものである。
【００２９】
上記大容量記憶装置２２は、ハードディスクドライブ（ＨＤＤ）などで構成され、上記メモリ制御部２１の制御に基づいて読取区分機本体１から受信した画像ヘッダ及び読取画像からなる処理データを記憶する。この大容量記憶装置２２に記憶された処理データは、メモリ制御部２１からの送信要求に応じて画像メモリ２３上に読み出される。
【００３０】
専用認識部（検出手段）２８は、この大容量記憶装置２２に記憶された処理データの読取画像を認識することによって、郵便番号エリア候補及び住所エリア候補を検出する。これらの検出されたエリア候補は、画像ヘッダに付加される。
【００３１】
ここで、上記処理データについて説明する。処理データは上述したように画像ヘッダ及び読取画像を有している。画像ヘッダは、郵便物Pの認識できなかった読取画像に付与した画像ＩＤ、郵便番号エリア候補の開始位置・サイズ、住所エリア候補の開始位置・サイズ、読取画像を圧縮して用いる場合はその圧縮パラメータなどを有している。読取画像は上述したように送信効率を上げるために圧縮画像が用いられる場合が多いが圧縮の内容が本発明の主旨とするところではないので詳細な説明は省略し、ここでは読取画像の名称を用いている。
【００３２】
上記ビデオ分配制御部２４は、メモリ制御部２１及びタイミング制御部２５と接続されている。このビデオ分配制御部２４は、各ＶＣＤ３０Ａ、３０Ｂ・・・３０Ｂから送信されてくる分配要求に従って作成される分配要求テーブル（図示しない）の内容に基づいて処理データの送信先（分配先）のＶＣＤ３０Ａ、３０Ｂ・・・３０Ｂを判断する。すなわち、ビデオ分配制御部２４は、分配要求テーブルによりコーディング（区分先の打鍵入力）可能である。また、処理データの入力待ちとなっているＶＣＤ３０Ａ、３０Ｂ・・・３０Ｂを判断し、メモリ制御部２１を制御することにより優先分配処理手段（後述する）及び入力維持手段（後述する）に基づいて各ＶＣＤ３０Ａ、３０Ｂ・・・３０Ｂに処理データを送信する。
【００３３】
また、各ＶＣＤ３０Ａ、３０Ｂ・・・３０Ｂで入力されたコーディング情報は、入出力制御部２７により受信される。入出力制御部２７は、各ＶＣＤ３０Ａ、３０Ｂ・・３０Ｂから受信したコーディング情報をタイミング制御部２５を介して読取区分機本体１の制御部１６に送信する。
【００３４】
上記ＶＣＤ３０Ａ、３０Ｂ・・・３０Ｂは、制御部３１、記憶部３２、表示部３３及び入力部３４などを有している。制御部３１は、各ＶＣＤ３０Ａ、３０Ｂ・・・３０Ｂの全体を制御し、また、蓄積分配装置２０からの郵便物Ｐに対する処理データを受信したり、入力部３４による入力結果（コーディング情報）を上記入出力制御部２７へ送信する機能を有している。
【００３５】
上記記憶部３２は、蓄積分配装置２０から供給された郵便物Ｐの処理データを記憶する。この記憶部３２では、現在（先に）コーディング処理中の画像や次にコーディング処理する画像などの複数の処理データを記憶できるようになっている。
【００３６】
次に、図２を参照してビデオコーディング処理を説明する。初めに、積分配装置２０は、認識部１５で認識できなかった郵便物Ｐの処理データ（画像ヘッダ、読取画像）をリジェクト制御部１８から受信する（Ｓ１）。
【００３７】
次に、蓄積分配装置２０は、受信した処理データから郵便番号エリア候補及び住所エリア候補からなるエリア候補を検出する（Ｓ２）。通常はこのエリア候補は、それぞれ複数検出される。
【００３８】
次に、上記検出したエリア候補を上記画像ヘッダに付加する（Ｓ３）。
【００３９】
次に、上記処理データを分配する方法が選択される。この選択には優先分配処理（Ｓ５）と入力維持分配処理（Ｓ６）が含まれる。この選択方法にはＶＣＤをグループ分けし、各グループ毎に振り分ける方法を用いてもよい。例えば、ＶＣＤ３０Ａでは優先分配処理を行い、ＶＣＤ３０Ｂ・・・３０Ｂでは入力維持分配処理を行うなどの方法である。以上の選択方法は、住所入力が必要な自局宛郵便物の通数及び処理するＶＣＤの台数に応じて操作部（図示しない）からオペレータによって設定される（Ｓ５、Ｓ６）。なお、図３に優先分配処理のサブルーチンの説明を行い、図４に入力維持分配処理のサブルーチンの説明を行う。
【００４０】
図３は、優先分配処理サブルーチンのフローチャートである。このサブルーチンは、入力される郵便物の入力優先順位に従って郵便番号入力と住所入力とを切り替えて処理する優先分配処理である。ここでは、ＶＣＤ３０Ａによる優先分配処理について説明する。上記ＶＣＤ３０Ａによる郵便番号入力又は住所入力処理の必要な差立０１便の郵便物（第１のグループ郵便物）と、次に入力処理の必要な差立０２便の郵便物（第２のグループ郵便物）がある場合を例に説明する。
【００４１】
最初に、差立０１便の郵便番号入力画像が有る場合には（Ｓ１０のＹｅｓ）、この郵便番号入力画像が専用認識部２８（検出手段）で検出された郵便番号エリア候補及び住所エリア候補が表示部３３に表示されオペレータに通知される。この通知によってオペレータによりＶＣＤ３０Ａから差立０１便の郵便番号が入力される（第1工程）。この処理は、差立０１便の郵便番号入力画像がなくなるまで繰り返される（Ｓ１１）。なお、郵便番号及び住所の検出は以下の各工程で同様に行われるため、その部分の説明は省略する。また、通常差立区分では、自局外の方面別に配達区分される郵便物は、上記郵便番号入力を終えると次の住所入力を行わない。
【００４２】
次に、差立０１便の郵便番号入力画像がなくなり（Ｓ１０のＮｏ）、差立０１便で自局宛の住所入力画像がある場合は（Ｓ１２のＹｅｓ）、オペレータによってＶＣＤ３０Ａから差立０１便の住所が入力される（第2工程）。この処理は差立０１便の住所入力画像がなくなるまで繰り返される（Ｓ１３）。通常差立区分の住所入力は、自局内で配達する郵便物に対して住所の細部まで入力するものである。
【００４３】
次に、差立０２便の郵便番号入力画像が有る場合には（Ｓ１４のＹｅｓ）、オペレータによってＶＣＤ３０Ａから差立０２便の郵便番号が入力される（第3工程）。この処理は差立０２便の郵便番号入画像がなくなるまで繰り返される（Ｓ１５）。
【００４４】
次に、差立０１便の郵便番号入力画像があるかどうかが確認される（Ｓ１６）。これは、差立０２便の郵便番号入力処理中に、差立０１便の郵便物の認識処理の遅れや、他のＶＣＤ端末の差立０１便の郵便物の郵便番号の遅れなどによって、差立０１便の郵便番号入力又は住所入力を必要とする郵便物を優先的に処理するための処理方法である。この確認の結果、差立０１便の郵便番号入力画像がある場合には（Ｓ１６のＹｅｓ）、差立０１便の郵便番号入力が行われる（第4工程）。この処理は、差立０１便の郵便番号入力画像がなくなるまで繰り返される（Ｓ１７）。
【００４５】
次に、差立０１便の住所入力画像がある場合には（Ｓ１８のＹｅｓ）、差立０１便の住所が入力される（第5工程）。この処理は、差立０１便の住所入力画像がなくなるまで繰り返される（Ｓ１９）。
【００４６】
次に、差立０２便の住所入力画像がある場合には（Ｓ２０のＹｅｓ）、差立０２便の住所が入力される（第6工程）。この処理は、差立０２便の住所入力画像がなくなるまで繰り返される（Ｓ２１）。
【００４７】
このようにして差立０１便及び差立０２便の郵便番号入力及び住所入力が行われる。また、差立０２便の入力中に差立０１便の入力が発生した場合には、差立０１便の入力を優先する優先分配処理を行うことができる。上述した優先分配処理は、ビデオ分配制御部２４によって制御される。
【００４８】
図４は、入力維持分配処理サブルーチンのフローチャートである。このサブルーチンは、入力される郵便物の入力される順番を変更せずに維持して郵便番号入力と住所入力とを処理する優先分配処理である。ここでは、複数配置されたＶＣＤ３０Ｂを用いて説明する。ＶＣＤ３０は、基本的に同一機能であるため、ここでは、１個のＶＣＤ３０Ｂを用いて説明する。なお、上記ＶＣＤ３０Ｂによる郵便番号入力又は住所入力の必要な差立０１便の郵便物と、次ぎに入力の必要な差立０２便の郵便物がある場合を例に説明する。
【００４９】
最初に、差立０１便の郵便番号入力画像が有る場合には（Ｓ３０のＹｅｓ）、オペレータによってＶＣＤ３０Ｂから差立０１便の郵便番号が入力される。この処理は、差立０１便の郵便番号入力画像がなくなるまで繰り返される（Ｓ３１）。通常差立区分では、自局外の方面別に配達区分される郵便物は、上記郵便番号入力を終えると次の住所入力を行わない。
【００５０】
次に、差立０１便の郵便番号入力画像がなくなり（Ｓ３０のＮｏ）、差立０１便の住所入力画像がある場合は（Ｓ３２のＹｅｓ）、オペレータによってＶＣＤ３０Ｂから差立０１便の住所が入力される。この処理は差立０１便の住所入力画像がなくなるまで繰り返される（Ｓ３３）。通常差立区分の住所入力は、自局内で配達する郵便物に対して住所の細部まで入力するものである。以上の結果、差立０１便の郵便番号入力及び住所入力が終了する（第1の工程）。なお、郵便番号入力と住所入力は、どちらを先に入力して、結果は同じである。
【００５１】
次に、差立０２便の郵便番号入力画像が有る場合には（Ｓ３４のＹｅｓ）、オペレータによってＶＣＤ３０Ｂから差立０２便の郵便番号が入力される。この処理は差立０２便の郵便番号入力画像がなくなるまで繰り返される（Ｓ３５）。
【００５２】
次に、差立０２便の住所入力画像がある場合には（Ｓ３６のＹｅｓ）、オペレータによってＶＣＤ３０Ｂから差立０２便の住所が入力される。この処理は差立０２便の住所入力画像がなくなるまで繰り返される（Ｓ３７）。以上の結果、差立０２便の郵便番号入力及び住所入力が終了する（第２の工程）。なお、郵便番号入力と住所入力は、どちらを先に入力しても第１の工程同様結果が同じである。
【００５３】
このようにして差立０１便及び差立０２便の郵便番号入力及び住所入力が順番に行われる。また、差立０２便の入力中に差立０１便の入力が発生した場合であっても、このＶＣＤ３０Ｂでは差立０１便の入力を優先する処理は行わない。上述した入力維持分配処理は、ビデオ分配制御部２４によって制御される。
【図面の簡単な説明】
【００５４】
【図１】本発明の実施例による郵便物読取区分機の構成図。
【図２】ビデオコーディング処理を説明するフローチャート。
【図３】優先分配処理を説明するサブルーチン。
【図４】入力維持分配処理を説明するサブルーチン。
【符号の説明】
【００５５】
Ｐ  郵便物
１ａ  搬送区分機本体
１０  供給部
１１  スキャナ部
１２  ＩＤコード読取部
１３  バーコードプリンタ部
１４  区分部
１５  認識部
１６  制御部
１７  主搬送路
１８  リジェクトデータ制御部
１９  画像バッファ
２  ビデオコーディングシステム
２０  蓄積分配装置
２１  メモリ制御部
２２  大容量記憶装置
２３  画像メモリ
２８  専用認識部
３０Ａ〜３０Ｂ  ビデオコーディング端末
３３  表示部
３４  入力部
【図１】
2005349261.tif 000003
【図２】
2005349261.tif 000004
【図３】
2005349261.tif 000005
【図４】
2005349261.tif 000006